(57)【要約】【課題】エレベータのドアが正常通りに閉じきらない異常が生じたときに、それを検出してエレベータの利用者に対して報知することが可能なドア異常報知装置を提供する。【解決手段】エレベータのドア１６が正常通りに閉じきらないときにそれを検出する戸閉検出器２９と、戸閉検出器２９によりドア１６の閉じ切りが検出されない異常が生じたときに、エレベータの利用者に対してその異常を報知するブザー３０、及びその異常の原因を取り除く旨のアナウンスを音声で報知するスピーカー２６とを具備する。保守点検用の安全スイッチが操作されたときに、エレベータの運行を制御する制御手段の安全回路がオンして運行モードがノーマル運転から点検運転のモードに切り替わるエレベータであって、戸閉検出器２９によりドア１６の閉じ切りが検出されないときに、安全回路がオンしているか否かが判断され、オンであるときに、ブザー３０が動作する。【選択図】    図４
2012086978.tif 000002
【特許請求の範囲】
【請求項１】
エレベータのドアが正常通りに閉じきらないときにそれを検出する戸閉検出手段と、
前記戸閉検出手段により前記ドアの閉じ切りが検出されない異常が生じたときに、エレベータの利用者に対してその異常の発生を音で報知する鳴動報知手段、及びその異常の原因を取り除く旨の情報を音声で報知する音声報知手段と、
を具備することを特徴とするエレベータのドア異常報知装置。
【請求項２】
エレベータのかごが昇降する昇降路のピット部で保守点検の作業を行なう際に操作する安全スイッチを備え、その安全スイッチが操作されたときに、エレベータの運行を制御する制御手段の安全回路がオンしてエレベータの運行モードがノーマル運転から点検運転のモードに切り替わるエレベータであって、
前記戸閉検出手段により前記ドアの閉じ切りが検出されないときに、前記安全回路がオンしているか否かが判断され、オンであるときに、前記鳴動報知手段が動作することを特徴とする請求項１に記載のエレベータのドア異常報知装置。
【請求項３】
前記鳴動報知手段はブザーを含み、前記音声報知手段はスピーカーを含む構成であることを特徴とする請求項１又は２に記載のエレベータのドア異常報知装置。
【発明の詳細な説明】
【技術分野】
【０００１】
この発明の実施形態は、エレベータのドアが正常通りに閉じ切らない異常が生じたときに、それを検出して報知するエレベータのドア異常報知装置に関する。
【背景技術】
【０００２】
エレベータは、建屋の昇降路内に吊り下げられたかごを備え、このかごが巻上機により駆動されて昇降路内で上下に昇降移動する。巻上機及びかごの各機器は制御盤により制御される。制御盤により巻上機の動作が制御されることで、かごが昇降し、そのかごが目的階のエレベータホールに到達して着床停止したときに、かごドアとそのエレベータホールのホールドアとが連動して開き、利用客の乗り降りが可能となる。
【０００３】
利用客の乗り降りが終了し、かご内のドア開ボタンが操作されたとき、あるいは戸開から所定時間が経過したときに、かごドア及びホールドアが戸閉方向に移動して戸閉し、その戸閉が戸閉検知器により検知され、その検知の信号が制御盤に送られて戸閉が確認された後にかごが次の目的階に向って移動する。かごドアはかごに設けられた敷居に沿って開閉動作し、ホールドアはエレベータホールに設けられた敷居に沿って開閉動作する。
【０００４】
ところで、昇降路の最下部は、建屋の最下階のエレベータホールの床面よりも下方に落ち込むピット部となっており、このピット部の床部にバッファなどの各種の機器が設置されている。エレベータに対する保守点検の作業の一つとしてこのピット部内での作業がある。ピット部に対する出入口付近には、保守点検作業時にかごが不用意に移動するのを防止するための安全スイッチが設けられている。作業員がピット部内に入るときには、その安全スイッチを操作して制御盤の安全回路をオフにし、エレベータの運転モードをノーマル運転のモードから点検運転のモードに切り換える。そして作業が終了したときには、ピット部から作業員が出て、安全スイッチを再び操作して安全回路をオンにし、運転モードをノーマル運転のモードに戻す。なお、安全回路は、かご内の非常用停止ボタンが操作されたときや、回路が故障したときなどにもオンからオフに切り替わる。
【先行技術文献】
【特許文献】
【０００５】
【特許文献１】特開平５−０４３１７５号公報
【特許文献２】特開平５−１３２２７４号公報
【発明の概要】
【発明が解決しようとする課題】
【０００６】
かごドア及びホールドアがそれぞれ敷居に沿って移動して戸閉するときに、その敷居にごみ等の異物が挟まり込んでいて、その異物の介在でドアが完全に閉じきらないような場合がある。このような場合、戸閉検知器が動作せず、したがってかごの運行が停止してしまうことになる。
【０００７】
しかしながら、エレベータの一般利用客は、なぜエレベータの運行が停止したのか分からないことが多く、戸惑ってしまうことになる。そして、エレベータが停止したことをエレベータの管理者等に通報し、その通報で管理者等が現場に到着して点検し、敷居の異物を取り除くことでエレベータを復旧させることになるが、それには相当の手間や時間がかかり、効率が悪い。
【０００８】
この発明の実施形態は、このような課題を解決することを目的としている。
【課題を解決するための手段】
【０００９】
このような課題を解決するために、請求項１の発明は、エレベータのドアが正常通りに閉じきらないときにそれを検出する戸閉検出手段と、前記戸閉検出手段により前記ドアの閉じ切りが検出されない異常が生じたときに、エレベータの利用者に対してその異常の発生を音で報知する鳴動報知手段、及びその異常の原因を取り除く旨の情報を音声で報知する音声報知手段とを具備することを特徴としている。
【００１０】
そして、請求項２の発明は、エレベータのかごが昇降する昇降路のピット部で保守点検の作業を行なう際に操作する安全スイッチを備え、その安全スイッチが操作されたときに、エレベータの運行を制御する制御手段の安全回路がオンしてエレベータの運行モードがノーマル運転から点検運転のモードに切り替わるエレベータであって、前記戸閉検出手段により前記ドアの閉じ切りが検出されないときに、前記安全回路がオンしているか否かが判断され、オンであるときに、前記鳴動報知手段が動作することを特徴としている。
【００１１】
また、請求項３の発明は、前記鳴動報知手段がブザーを含み、前記音声報知手段がスピーカーを含む構成であることを特徴としている。
【図面の簡単な説明】
【００１２】
【図１】この発明の一実施形態に係るエレベータの全体の構成を示す断面図。
【図２】そのエレベータのかごの内部の外観を示す斜視図。
【図３】そのエレベータの制御回路の構成を示すブロック図。
【図４】そのエレベータの動作の流れの前半を示すフローチャート。
【図５】そのエレベータの動作の流れの後半を示すフローチャート。
【発明を実施するための形態】
【００１３】
以下、この発明の一実施形態について図面を参照して説明する。
【００１４】
図１には、エレベータの全体の構成を示してあり、建物の昇降路１の上部には機械室２が設けられ、この機械室２内に駆動装置としての巻上機３が設置されている。巻上機３はトラクションシーブ４を備え、このトラクションシーブ４にメインロープ５が巻き掛けられている。メインロープ５の両端側は昇降路１内に引き落とされ、その一方側の端末にかご６が、他端側の端末につり合い重り７がそれぞれ連結され、これらかご６及びつり合い重り７が昇降路１内に吊り下げられている。そして巻上機３が起動し、トラクションシーブ４が回転してメインロープ５が走行することによりかご６とつり合い重り７が昇降路１内で互いに逆方向に昇降移動する。機械室２にはエレベータの運行を制御する制御手段としての制御盤１０が設けられ、この制御盤１０により前記巻上機３が制御されてかご６が昇降移動する。
【００１５】
建物の各階のエレベータホール１３には昇降路１に通じる乗降口１４が設けられ、これら乗降口１４にそれぞれホールドア１５が設置され、これらホールドア１５により乗降口１４が開閉される。
【００１６】
かご６の前面にはかごドア１６が設けられている。図２にはかご６の内部をその奥側から前方側を見たときの外観を示してあり、かご６の前面には出入口１７が設けられ、この出入口１７の前面側にかごドア１６が設置され、このかごドア１６により出入口１７が開閉される。
【００１７】
図１に示すように、各エレベータホール１３の乗降口１４の下部及びかご６の出入口１７の下部にはそれぞれ敷居１８，１９が取り付けられ、敷居１８の上にホールドア１５が、敷居１９の上にかごドア１６がそれぞれ設置され、これら敷居１８，１９に沿ってホールドア１５，かごドア１６が移動する。
【００１８】
各エレベータホール１３の乗降口１４は、通常時にはホールドア１５により閉鎖されている。そしてかご６が目的階のエレベータホール１３に移動して停止する際に、かごドア１６がそのエレベータホール１３のホールドア１５に係合し、この状態でかごドア１６が図２に示す駆動源３６により駆動され、かごドア１６とホールドア１５とが連動して戸開し、かご６に対する利用客の乗り降りが可能となる。利用客の乗り降りが終了した後には、かごドア１６とホールドア１５とが連動して戸閉し、かご６が次に目的階に向って移動する。
【００１９】
かご６の内部には、図２に示すようにかご操作盤２２が設けられ、このかご操作盤２２に複数の行先階ボタン２３、ドア開ボタン２４ａ及びドア閉ボタン２４ｂ、非常停止用ボタン２５並びに音声報知手段としてのスピーカー２６が配設されている。
【００２０】
また、かご６には、かごドア１６がホールドア１５と一体的に戸閉方向に移動して戸閉するときに、そのかごドア１６が完全に閉じきったか否かを検出する戸閉検出器２９が設けられ、さらにかご６の外側部には鳴動報知手段としてのブザー３０が設けられている。
【００２１】
一方、昇降路１の最下部のピット部３２には、このピット部３２内に作業員が入り込んで保守点検の作業を行なう際に操作する安全スイッチ３３が設けられている。安全スイッチ３３は、制御盤１０に設けられた安全回路３４をオンオフするスイッチで、安全回路３４がオンのときには、エレベータがノーマル運転のモードで運行され、安全回路３４がオフのときには、ノーマル運転のモードから点検運転のモードに切り替わる。
【００２２】
図３に制御回路の構成を示してあり、各行先階ボタン２３、ドア開ボタン２４ａ、ドア閉ボタン２４ｂ、非常停止用ボタン２５、戸閉検出器２９の各信号は制御盤１０に送られ、これらの信号に基づいて巻上機３を介してかご６の移動や駆動源３６を介してかごドア１６の開閉、並びにブザー３０、スピーカー２６に対する駆動がそれぞれ制御される。
【００２３】
次に、この実施形態の作用について、図４、図５に示すフローチャートを参照して説明する。
【００２４】
通常時にエレベータはノーマル運転のモードで運行される（Ｓ１）。そしてかご６が目的階に向って移動し、目的階で停止すると（Ｓ２）、その信号に基づいて制御盤１０による制御でかごドア１６とホールドア１５が連動して戸開する（Ｓ３）。この戸開で利用客の乗り降りが行なわれ、その後所定時間が経過し、あるいはかご６に乗り込んだ利用客がかご操作盤２２のドア閉ボタン２４ｂを操作するとかごドア１６とホールドア１５が連動して戸閉方向に移動する（Ｓ４）。次に、ドア１５，１６の戸閉方向の移動に応じて戸閉検出器２９がオンしたか否かが判断される（Ｓ５）。
【００２５】
Ｓ５において、ドア１５，１６が正常に移動して完全に閉じ切って戸閉検出器２９がオンしたときには、その信号に基づいて制御盤１０による制御でノーマル運転が継続され、かご６が次の目的階に向って移動する。
【００２６】
これに対し、ドア１５，１６の移動をガイドする敷居１８，１９に異物としてのごみが挟まっていて、ドア１５，１６が完全に閉じ切らないとき、すなわち戸閉検出器２９がオンしないときには、次に安全回路３４がオンであるか否かが判断される（Ｓ６）。
【００２７】
このとき、ピット部３２で保守点検の作業が実施されているにもかかわらず、安全スイッチ３３が操作されず、Ｓ６で安全回路３４がオンの状態にあると判断されたときには、その信号に基づいて制御盤１０による制御でかご６のブザー３０が鳴動する（Ｓ７）。そしてこのブザー３０の音が昇降路１内の全体に響き、ピット部３２で作業している作業員に危険を知らせる警報となり、これにより安全を確保することができる。
【００２８】
ブザー３０の鳴動によりエレベータを利用する利用客は異常を感じ、かご６内のドア開ボタン２４ａあるいはエレベータホール１３のドア開ボタン（図示せず）を操作してドア１５，１６を戸開させることになる（Ｓ８）。そしてドア１５，１６が戸開すると、その信号に基づいて制御盤１０による制御でスピーカー２６を通して、例えば『敷居にごみが挟まっています。取り除いてください。』というアナウンスが流れる（Ｓ９）。すなわち、ドア１５，１６の異常に関する情報が音声によりエレベータの利用者に報知される。
【００２９】
そしてこの報知に基づいてエレベータの利用者が敷居１８，１９に挟まっているごみを取り除き、ドア閉ボタン２４ｂを介して戸閉操作すると（Ｓ１０）、ドア１５，１６が戸閉方向に移動する（Ｓ１１）。このとき、敷居１８，１９のごみが除去されているから、ドア１５，１６は完全に閉じ切る位置にまで移動し、その閉じ切りが戸閉検出器２９により検出され、戸閉検出器２９がオンする（Ｓ１２）。そしてこの戸閉検出器２９の信号に基づいて制御盤１０による制御でかご６が次の目的階に向って移動する。
【００３０】
このように、敷居１８，１９にごみなどの異物が挟まってドア１５，１６が正常に閉じ切らなかったときには、その理由がエレベータの利用者に報知され、その報知に基づいて異物を取り除くことで、ドア１５，１６が正常に戸閉し、かご６が通常どおり移動し、したがってかご６が長時間停止することがなく、またエレベータの管理者の出動の必要もなく、エレベータを効率よく運行することが可能となる。
【００３１】
なお、Ｓ６において、安全回路３４がオフとなるのは、かご操作盤２２の非常停止用ボタン２５や安全スイッチ３３が操作されとき、あるいは安全回路３４に故障が生じたときであり、したがってこの場合はブザー３０が鳴動せず、かご６が停止したまま保持され、その情報がエレベータの管理センターに報知される。
【００３２】
以上述べたように、この発明の実施形態によれば、エレベータのドアが正常に閉じ切らない異常が生じたときに、それを検出してエレベータの利用者にブザー３０及びスピーカー２６を介して報知することができる。そして、その報知に基づいて異常の原因を取り除くことにより、エレベータの運行中断を防止して効率的な運行を達成することができる。さらに、エレベータの運行中に、昇降路１のピット部３２内で安全スイッチ３３を操作しないまま作業が行なわれているときに、前記ブザー３０の鳴動音をその警告用の音として利用して安全を図ることができる。
【００３３】
なお、以上において説明したこの発明の実施形態は、例として提示したものであり、発明の範囲を限定することは意図していない。この発明の新規な実施形態は、その他の様々な形態で実施することが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００３４】
１…昇降路
２…機械室
３…巻上機
６…かご
１０…制御盤
１５…ホールドア
１６…かごドア
１８．１９…敷居
２２…かご操作盤
２３…行先階ボタン
２４ａ…ドア開ボタン
２４ｂ…ドア閉ボタン
２５…非常停止用ボタン
２６…スピーカー
２９…戸閉検出器
３０…ブザー
３２…ピット部
３３…安全スイッチ
３４…安全回路
【図１】
2012086978.tif 000003
【図２】
2012086978.tif 000004
【図３】
2012086978.tif 000005
【図４】
2012086978.tif 000006
【図５】
2012086978.tif 000007